(57)【要約】      （修正有）【課題】指紋の付着跡が目立ちにくい表面処理がなされたメラミン樹脂化粧板の指紋の付着跡を除去することが可能な、メラミン化粧板の拭き取り方法を提供する。【解決手段】動物の体毛により作成されたフェルト、若しくは、少なくとも動物の体毛が混ざった混紡フェルトからなる拭き取り具に水分を含浸させる工程と、水分が含浸されたフェルトにより前記メラミン化粧板の表面を拭き取る工程とを含む。【選択図】図１
2017023599.tif 000002
【特許請求の範囲】
【請求項１】
指紋の付着跡が目立ちにくい表面処理がなされたメラミン樹脂化粧板の拭き取り方法であって、
フェルトからなる拭き取り具に水分を含浸させる工程と、
水分が含浸されたフェルトにより、前記メラミン樹脂化粧板の表面を拭き取る工程とを含むメラミン樹脂化粧板の拭き取り方法。
【請求項２】
前記フェルトが動物の体毛により作成されている請求項１記載の拭き取り方法。
【請求項３】
前記フェルトが少なくとも動物の体毛が混ざった混紡フェルトである請求項１記載の拭き取り方法。
【請求項４】
指紋の付着跡が目立ちにくい表面処理がなされたメラミン樹脂化粧板の拭き取り具であって、
前記拭き取り具が、フェルトからなり、前記フェルトに水分が含浸され、前記メラミン樹脂化粧板の表面の指紋の付着跡を、前記フェルトの表面により除去可能な拭き取り具。
【請求項５】
前記フェルトが動物の体毛により作成されている請求項４記載の拭き取り具。
【請求項６】
前記フェルトが少なくとも動物の体毛が混ざった混紡フェルトである請求項４記載の拭き取り具。
【発明の詳細な説明】
【技術分野】
【０００１】
本発明は、指紋の付着跡が目立ちにくい表面処理がなされたメラミン樹脂化粧板の拭き取り方法および拭き取り具に関する。
【背景技術】
【０００２】
近年、旅館などで用いられるお膳などに、指紋の付着跡が目立ちにくい化粧板として、指紋の付着跡が目立ちにくい表面処理がなされたメラミン化粧板が用いられている（たとえば、特許文献１参照）。このような指紋の付着跡が目立ちにくい表面処理がなされたメラミン化粧板は、光の反射具合を調整することにより、指紋の付着跡を目立ちにくくしている。そのため、このような表面処理がなされたメラミン化粧板は、仮に手で化粧板を触った後でも、指紋の付着跡が見えにくく、見栄えがよい。ただ、このようなメラミン化粧板は、汚れや指紋の付着跡が表面に付着しないわけではなく、定期的に表面の拭き取りが必要となる。このようなメラミン化粧板の拭き取りは、通常水で濡らした綿のタオルや雑巾などにより、表面を拭き取ることによりなされている。
【先行技術文献】
【特許文献】
【０００３】
【特許文献１】特開２００９−３４９８４号公報
【発明の概要】
【発明が解決しようとする課題】
【０００４】
しかし、このような指紋の付着跡が目立ちにくい表面処理がなされたメラミン化粧板を、水を含浸させた綿の布巾などで拭いた場合、メラミン化粧板を拭いた直後においては、指紋の付着跡が目立つことがわかった。そのため、お膳などの化粧板を拭いた直後は指紋の付着跡が目立つため、見栄えが悪く、水拭きをした後、乾燥させた後に、お膳などを提供する必要があった。
【０００５】
そこで、本発明はかかる問題点に鑑みて、指紋の付着跡が目立ちにくい表面処理がなされたメラミン樹脂化粧板の指紋の付着跡を除去することが可能な、メラミン樹脂化粧板の拭き取り方法および拭き取り具の提供を目的とする。
【課題を解決するための手段】
【０００６】
本発明の拭き取り方法は、指紋の付着跡が目立ちにくい表面処理がなされたメラミン樹脂化粧板の拭き取り方法であって、フェルトからなる拭き取り具に水分を含浸させる工程と、水分が含浸されたフェルトにより、前記メラミン樹脂化粧板の表面を拭き取る工程とを含むことを特徴とする。
【０００７】
また、本発明の拭き取り方法は、前記フェルトが動物の体毛により作成されていることが好ましい。
【０００８】
また、本発明の拭き取り方法は、前記フェルトが少なくとも動物の体毛が混ざった混紡フェルトであることが好ましい。
【０００９】
また、本発明の拭き取り具は、指紋の付着跡が目立ちにくい表面処理がなされたメラミン樹脂化粧板の拭き取り具であって、前記拭き取り具が、フェルトからなり、前記フェルトに水分が含浸され、前記メラミン樹脂化粧板の表面の指紋の付着跡を、前記フェルトの表面により除去可能であることを特徴とする。
【００１０】
また、本発明の拭き取り具は、前記フェルトが動物の体毛により作成されていることが好ましい。
【００１１】
また、本発明の拭き取り具は、前記フェルトが少なくとも動物の体毛が混ざった混紡フェルトであることが好ましい。
【発明の効果】
【００１２】
本発明によれば、指紋の付着跡が目立ちにくい表面処理がなされたメラミン樹脂化粧板の指紋の付着跡を容易に除去することが可能となる。
【図面の簡単な説明】
【００１３】
【図１】メラミン樹脂化粧板を示す概略図である。
【発明を実施するための形態】
【００１４】
以下、本発明の拭き取り方法および拭き取り具について、詳細に説明する。
【００１５】
本発明の拭き取り方法および拭き取り具は、指紋の付着跡が目立ちにくい表面処理がなされたメラミン化粧板を拭き取るために用いられる。指紋の付着跡が目立ちにくい表面処理がなされたメラミン化粧板は、光の反射具合を調整することにより、指紋の付着跡を目立ちにくくする表面処理がなされたメラミン化粧板であり、たとえば、図１に示されるように、メラミン樹脂層Ｌ１と、メラミン樹脂層Ｌ１よりも屈折率が低く、メラミン樹脂層Ｌ１よりも上層に設けられた低屈折率層（たとえば、シロキサングラフト型ポリマーコーティング層）Ｌ２を含む、複層構造からなるメラミン化粧板である。なお、メラミン化粧板は公知であるため、図１ではメラミン化粧板の構造を簡素化して二層構造として示している。低屈折率層の屈折率は、特に限定されないが、たとえば、メラミン樹脂層の屈折率が１．６〜１．７程度である場合、１．５５以下であることが好ましい。このような指紋の付着跡が目立ちにくい表面処理がなされたメラミン化粧板は、公知であり、詳細な説明は省略するが、たとえば、アイカ工業株式会社製のメラミン化粧板（商品名セルサス（登録商標））などがあり、たとえば、本発明の拭き取り方法および拭き取り具は、特開２００９−３４９８４号公報、特開２００９−１９６２４７号公報等に開示されたメラミン化粧板や、上記文献に開示された以外の、指紋の付着跡が目立ちにくい表面処理がなされたメラミン化粧板に適用することも可能である。
【００１６】
このようなメラミン化粧板は、メラミン化粧板の表面に付着した指紋の付着跡は目立たないが、メラミン化粧板の表面に指紋の付着跡は付着している。本発明者が、指紋の付着跡が目立たない表面処理がなされたメラミン化粧板の表面を水で拭き取ったところ、メラミン化粧板の表面が乾燥した場合には、指紋の付着跡は確認しにくいが、表面が濡れている場合など水により表面を拭き取った直後は、指紋の付着跡がより目立つことがわかった。そして、このメラミン化粧板を拭き取る際に、フェルトからなる拭き取り具に水分を含浸させ、水分が含浸されたフェルトによりメラミン化粧板の表面を拭き取ることにより、メラミン化粧板に付着した指紋の付着跡を効率よく落とすことができることを見出した。これにより、指紋の付着跡が目立ちにくい表面処理がなされたメラミン化粧板を用いたお膳、家具などを、水を含ませた拭き取り具により拭いた際に、従来は拭き取り直後に目立っていた指紋の付着跡が表面に現れることを抑制することができる。したがって、たとえば、旅館などで食事を提供する直前にお膳を拭き取った場合であっても、食事の提供時にたとえメラミン化粧板が乾燥する前であっても、指紋の付着跡が表面に現れないため、メラミン化粧板の表面の外観を損なうことがなくなる。
【００１７】
本実施形態で用いられるフェルトは、たとえば、動物の体毛により作成されたものや、少なくとも動物の体毛が混ざった混紡フェルトを用いることができる。動物の体毛の表面は、ウロコ状のキューティクルで覆われており、この体毛に、水や石鹸水などのアルカリ性の水溶液を含ませて、キューティクルを開き、体毛を互いに噛み合わせ、絡み合わせ、圧力をかけることにより、フェルトが作られる。フェルトの厚さは、拭き取りやすさや、水分を含浸させる観点から、たとえば、１〜１０ｍｍとすることができる。フェルトに含浸させる水分は、水、石鹸水の他、洗剤を水で希釈したものなどであってもよい。フェルトは、水分を含浸させた後、絞ることにより余分な水分を除去した後、メラミン化粧板の表面を拭き取ることができる。
【００１８】
つぎに、本発明の拭き取り方法を、実施例を用いて説明する。なお、以下に示す実施例はあくまで一例であり、本発明は以下の実施例に限定されるものではない。
【実施例】
【００１９】
まず、実施例および比較例に共通して用いたメラミン化粧板について説明する。指紋の付着跡が目立たない表面処理がなされたメラミン化粧板として、アイカ工業株式会社製のメラミン化粧板（商品名：セルサス（登録商標）。品番：ＴＫ−６４００）を用いた天板を１枚用意した。
【００２０】
つぎに、実施例および比較例において用いた拭き取り具について説明する。実施例において、拭き取り具として、大きさ２０×２０ｃｍ、厚さ５ｍｍの羊毛長尺フェルト（ＪＩＳ  Ｌ３２０１  Ｒ２３Ｍ）を用いた。また、拭き取り具として、比較例１では綿のタオル、比較例２ではマイクロファイバー（コネクト株式会社製、製品名：システムクロスウレタン）を用いた。
【００２１】
＜試験条件＞
用意したメラミン化粧板１枚に対して、天板を３つの領域（天板の左側、中央、右側）に分け、その３つの領域のそれぞれに、掌全体の指紋の付着跡が見える状態となるように掌を押し付けた。つぎに、実施例、比較例１、および比較例２のそれぞれに、水を含ませた後、拭き取り具を同様に絞り、天板の左側の領域を、比較例１のタオルにより、中央の領域を比較例２のマイクロファイバーにより、右側の領域を実施例の拭き取り具により、指紋の付着跡が付着した箇所を、それぞれ同程度の力で天板の奥行方向に５往復して拭き取り動作を行い、この５往復の拭き取り動作を１セットとして天板が濡れた状態での拭き取り状態を観察した。そして、この拭き取り動作を、実施例、比較例１、２について、それぞれ２セット行った。実施例および比較例１、２について、メラミン化粧板を拭き取った後乾燥する前に、メラミン化粧板の表面の状態について、拭き取り動作のセット毎に目視評価を行った結果を表１に示す。
【００２２】
＜評価基準＞
評価基準は以下のとおりである。
○：指紋の付着跡が認識できなかった。
△：指紋の付着跡ははっきりとは見えないが、指紋の付着跡が認識できた。
×：指紋の付着跡がはっきりと残っていた。
【００２３】
【表１】
2017023599.tif 000003
【００２４】
表１に示されるように、フェルトにより拭き取った実施例では、２回の拭き取りにより指紋の付着跡が認識できなくなった。特に実施例のフェルトにより拭き取った場合、１回目の拭き取りにより、メラミン化粧板が濡れた状態、乾燥した状態のいずれにおいても、指紋の付着跡がほぼ認識できない状態となった。また、実施例では、２回目の拭き取りにより、指紋の付着跡が認識できなくなった。一方、比較例１では、１回目の拭き取りにより、メラミン化粧板が濡れた状態で、指紋の付着跡がはっきり残っていた。２回目の拭き取りでも、天板が濡れた状態では、指紋の付着跡がはっきりと認識された。比較例２では、１回目の拭き取りにより、メラミン化粧板が濡れた状態で、指紋の付着跡がはっきりと確認された。２回目の拭き取りでは、指紋の付着跡はわずかに落ちたが、指紋の付着跡が認識できた。以上のように、フェルトを用いた実施例の拭き取り具により拭き取ることにより、指紋の付着跡が目立ちにくい加工がされた天板を拭き取る際に、通常拭き取り具として用いられているものよりも、指紋の付着跡を良く落とすことができることがわかった。
【符号の説明】
【００２５】
Ｌ１  メラミン樹脂層
Ｌ２  低屈折率層
【図１】
2017023599.tif 000004